(57)【特許請求の範囲】
【請求項１】
左右及び上下に並んだ複数個の開口部（１Ａ）を有する正面視矩形状の固定枠（１）と、該固定枠（１）の左右一側方（Ｎ）へスライド引出自在に保持された可動掲示本体（２）と、を具備し、
上記可動掲示本体（２）は、
複数本の横棧（７）と複数本の縦棧（１６）にて形成され複数個の上記開口部（１Ａ）に対応して左右及び上下に並んだ複数個の窓部（４）を有する格子部材（３）と、
スライド引出状態下で、上記窓部（４）に裏面側から取付離脱自在な掲示薄板（５）と、を有し、
さらに、上記掲示薄板（５）の裏面側から表面側へ透過する光を照射する照明器（６）を、上記固定枠（１）の裏面側に配設したことを特徴とする掲示構造体。
【請求項２】
上記掲示薄板（５）は、透明表て板（８）と半透明裏板（１０）によって表示シート（９）をサンドウィッチ状に重ね合わせて、該表示シート（９）が交換自在とされ、
しかも、上記格子部材（３）の上記横棧（７）には、上記掲示薄板（５）を上下方向のやり送りによって取付離脱自在とする第１嵌込凹溝（１１）・第２嵌込凹溝（１２）が形成されている請求項１記載の掲示構造体。
【請求項３】
上記格子部材（３）は、上記窓部（４）の上辺を形成する上記横棧（７）には下方開口状に上記第１嵌込凹溝（１１）を形成し、かつ、上記窓部（４）の下辺を形成する上記横棧（７）には上方開口状に上記第２嵌込凹溝（１２）を形成し、
上記第２嵌込凹溝（１２）の深さ寸法（ｈ２）よりも上記第１嵌込凹溝（１１）の深さ寸法（ｈ１）を大きく設定して、上記やり送りを可能とした請求項２記載の掲示構造体。
【請求項４】
上記格子部材（３）の上記横棧（７）は、横断面矩形状の大角管（１３）と、該大角管（１３）の裏面に固着された小角管（１４）と、該小角管（１４）の裏面側に固着された横板材（１５）と、から構成されている請求項３記載の掲示構造体。
【請求項５】
上記格子部材（３）の上記縦棧（１６）は、横断面矩形状の大角管（１７）と、該大角管（１７）の裏面に固着された小角管（１８）と、から構成され、
しかも、上記窓部（４）の左辺・右辺の各上半部（２０）には上記小角管（１８）を省略して、上記掲示薄板（５）を上記やり送りによって取付・離脱させる際に、人の指にて上記掲示薄板（５）を上下動させるように構成した請求項４記載の掲示構造体。
【発明の詳細な説明】
【技術分野】
【０００１】
本発明は、掲示構造体に関する。
【背景技術】
【０００２】
従来、例えば、不動産仲介業者の店舗では、店舗の外側に居る人に物件情報を見せるよ
うに、物件情報が記載された表示シートを有する掲示薄板を、窓ガラスの内面に両面テー
プで貼り付けている（特許文献１参照）。
【先行技術文献】
【特許文献】
【０００３】
【特許文献１】登録実用新案第３１５７８９５号公報
【発明の概要】
【発明が解決しようとする課題】
【０００４】
しかし、特許文献１では、掲示薄板が窓ガラスの内面に両面テープで貼り付けられてい
る為、表示シートを交換する際に、両面テープを剥がしたり貼り付けたりしなければなら
ず、手間や費用がかかるという問題があった。特に、不動産仲介業者の店舗では、物件情
報の入れ換わりが多く、表示シートの交換が頻繁に行われるため、多大な時間と労力を費
やしていた。また、表示シートの周囲を両面テープが取り囲むこととなり、しかも、両面
テープを剥がす際に粘着剤が窓ガラスに付着することがあり、見栄えが悪かった。
【０００５】
また、表示シートの視認性は、店舗の室内の明るさに依存するので、夕方になって屋外
が暗くなると、表示シートに記載された物件情報が見え難くなり、夜間に店舗が閉店して
室内が消灯されると、物件情報は一層見難くなって、広告宣伝の効果が低下してしまって
いた。
【０００６】
そこで、本発明は、掲示薄板を容易に交換でき、かつ、夕方・夜間においても広告宣伝
の効果を保つことのできる掲示構造体を提供することを目的とする。
【課題を解決するための手段】
【０００７】
本発明に係る掲示構造体は、左右及び上下に並んだ複数個の開口部を有する正面視矩形
状の固定枠と、該固定枠の左右一側方へスライド引出自在に保持された可動掲示本体と、
を具備し、上記可動掲示本体は、複数本の横棧と複数本の縦棧にて形成され複数個の上記
開口部に対応して左右及び上下に並んだ複数個の窓部を有する格子部材と、スライド引出
状態下で、上記窓部に裏面側から取付離脱自在な掲示薄板と、を有し、さらに、上記掲示
薄板の裏面側から表面側へ透過する光を照射する照明器を、上記固定枠の裏面側に配設したものである。
【０００８】
また、上記掲示薄板は、透明表て板と半透明裏板によって表示シートをサンドウィッチ
状に重ね合わせて、該表示シートが交換自在とされ、しかも、上記格子部材の上記横棧に
は、上記掲示薄板を上下方向のやり送りによって取付離脱自在とする第１嵌込凹溝・第２
嵌込凹溝が形成されているものである。
また、上記格子部材は、上記窓部の上辺を形成する上記横棧には下方開口状に上記第１
嵌込凹溝を形成し、かつ、上記窓部の下辺を形成する上記横棧には上方開口状に上記第２
嵌込凹溝を形成し、上記第２嵌込凹溝の深さ寸法よりも上記第１嵌込凹溝の深さ寸法を大
きく設定して、上記やり送りを可能としたものである。
【０００９】
また、上記格子部材の上記横棧は、横断面矩形状の大角管と、該大角管の裏面に固着さ
れた小角管と、該小角管の裏面側に固着された横板材と、から構成されているものである
。
また、上記格子部材の上記縦棧は、横断面矩形状の大角管と、該大角管の裏面に固着さ
れた小角管と、から構成され、しかも、上記窓部の左辺・右辺の各上半部には上記小角管
を省略して、上記掲示薄板を上記やり送りによって取付・離脱させる際に、人の指にて上
記掲示薄板を上下動させるように構成したものである。
【発明の効果】
【００１０】
本発明の掲示構造体によれば、掲示薄板を迅速かつ容易に取付・取外しでき、掲示薄板
の入換え作業の時間を短縮でき、かつ、コストを低減できる。掲示薄板を裏面側から明る
く照らして、夕方・夜間でも視認性を高く保つことができる。奥行きの小さな狭いスペー
スを有効に活用できる。外観上の美観を向上でき、広告宣伝の効果を増大できる。
【図面の簡単な説明】
【００１１】
【図１】本発明の掲示構造体の実施の一形態を示した正面図である。
【図２】図１の拡大断面図であり、（Ａ）はＡ−Ａ拡大断面図であり、（Ｂ）はＢ−Ｂ拡大断面図であり、（Ｃ）はＣ−Ｃ拡大断面図である。
【図３】掲示薄板の取付・取外しを説明するための要部拡大背面図である。
【図４】図３の拡大断面図であり、（Ａ）はＤ−Ｄ拡大断面図であり、（Ｂ）はＥ−Ｅ拡大断面図である。
【図５】図３のＦ−Ｆ拡大断面図である。
【図６】本発明の掲示構造体の使用状態を示す平面図である。
【図７】本発明の掲示構造体の使用状態を示す側面図である。
【発明を実施するための形態】
【００１２】
以下、実施の形態を示す図面に基づき本発明を詳説する。
図１と図６，図７に示すように、本発明の掲示構造体は、正面視矩形状の固定枠１と、
固定枠１の左右一側方Ｎへスライド引出自在に保持された可動掲示本体２と、を具備して
いる。
固定枠１は、全体が箱型に形成され、表面に、左右及び上下に並んだ複数個の開口部１Ａを有している。図６，図７に於て、固定枠１は、店舗の屋内の窓ガラスＷと柱Ｐの間に設置され、転倒防止具２６によって支持されている。固定枠１は、光を照射するための照明器６が裏面側に複数配設され、かつ、側面には、可動掲示本体２を引き出すための引出し口２５が設けられている。なお、表面の開口部１Ａは、正面視矩形状に形成されている。照明器６は、ストレート管の内部に複数個のＬＥＤを列設したもの、あるいは、蛍光灯を用いる。
【００１３】
可動掲示本体２は、複数本の横棧７と複数本の縦棧１６にて形成された格子部材３と、
格子部材３に対し裏面側から取付離脱自在な透光性掲示薄板５と、を有している。
格子部材３は、複数個の開口部１Ａに対応して左右及び上下に並んだ複数個の矩形状窓
部４を有し、スライド引出状態下で、各窓部４に（裏面側から）掲示薄板５を取付可能と
して構成されている。
格子部材３は、上下一対のスライドレール１９，１９によって（左右一側方Ｎへ）スラ
イド引出自在に支持されている。スライドレール１９は、アウターレール１９Ａと、アウ
ターレール１９Ａにスライド引出自在に保持される中間レール１９Ｂと、中間レール１９
Ｂにスライド引出自在に保持されるインナーレール１９Ｃから構成され、アウターレール
１９Ａが固定枠１に固着され、かつ、インナーレール１９ＣがＬ字状連結具（アングル）
を介して格子部材３に取着されている。
【００１４】
掲示薄板５は、窓部４より僅かに大きい矩形状に形成されている。図２に示すように、掲示薄板５は、透明表て板８と表示シート９と半透明裏板１０を順次重ね合わせて積層している。透明表て板８の裏面及び半透明裏板１０の表面と、表示シート９とは、非接着状とし、透明表て板８と半透明裏板１０によって、表示シート９をサンドウィッチ状に保持している。なお、本発明に於て、透光性掲示薄板５についての「透光性」とは、裏面側から照射される光の全光量の内、４０％〜９５％が表面側へ透過するものとする。
表示シート９は、紙や樹脂製シート等から成り、表面に掲示情報が記載されている。掲示情報としては、例えば、住宅やビル、土地等の不動産の価格、間取り、立地条件、外観等の情報、あるいは、レストランや喫茶店等の店舗、事務所等の案内掲示、広告宣伝がある。その他には、集合住宅、学校、オフィス、公共施設等に於て掲示を必要とする情報が挙げられる。
【００１５】
図２に示すように、格子部材３の横棧７は、横断面矩形状の大角管１３と、大角管１３
の裏面に固着された小角管１４と、小角管１４の裏面側に固着された横板材１５と、から
構成されている。
小角管１４は、大角管１３の裏面の上下方向中心部から上端寄りに偏在している。なお
、小角管１４は、大角管１３の裏面に溶接等にて固着された状態で角管形状であれば良い
。即ち、図２のように、溶接等で固着前の状態で断面コの字状であっても良く、あるいは
、予め断面ロ字状に形成されていても良い。
横板材１５は、全体が帯板状であって、横棧７の長手方向全長にわたって設けられてい
る。図２（Ａ）に示すように、格子部材３の上下中間位置の横棧７には、上端縁と下端縁
にＵ字状折曲部２１，２２を有する横板材１５が用いられている。図２（Ｂ）に示すよう
に、格子部材３の上辺（上端縁）を形成する横棧７には、下端縁にのみ折曲部２１を有す
る横板材１５が用いられ、図２（Ｃ）に示すように、格子部材３の下辺（下端縁）を形成
する横棧７には、上端縁にのみ折曲部２２を有する横板材１５が用いられている。
【００１６】
格子部材３は、窓部４の上辺を形成する横棧７に、大角管１３の裏面と、小角管１４の
下面と、横板材１５の下半部によって、第１嵌込凹溝１１が下方開口状に形成されている
。また、窓部４の下辺を形成する横棧７に、大角管１３の裏面と、小角管１４の上面と、
横板材１５の上端縁によって、第２嵌込凹溝１２が上方開口状に形成されている。
第１嵌込凹溝１１の深さ寸法ｈ１を、第２嵌込凹溝１２の深さ寸法ｈ２よりも大きく設
定して、掲示薄板５を上下方向のやり送りによって取付離脱自在として構成されている。
なお、「やり送り」とは、上方の溝の深さを下方の溝の深さより大きく設定して、板の
上端縁を上方の溝に深く差し込んでから、下端縁を下方の溝に落とし込んで、板を上方の
溝と下方の溝に嵌め込んで取付け、また、その逆の動作で板を取り外しすることであり、
「倹飩」と言うこともある。
【００１７】
図３と図５に示すように、格子部材３の縦棧１６は、横断面矩形状の大角管１７と、大
角管１７の裏面に固着された小角管１８と、から構成され、窓部４の左辺・右辺の各上半
部２０には小角管１８を省略している。
小角管１８は、大角管１７の裏面の左右方向中心部に固着され、使用状態で、掲示薄板
５の側端縁が当接し、掲示薄板５の左右への位置ズレを防止している。なお、小角管１８
は、大角管１７の裏面に溶接等にて固着された状態で角管形状であれば良い。即ち、図５
のように、溶接等で固着前の状態で断面コの字状であっても良く、あるいは、予め断面ロ
字状に形成されていても良い。
【００１８】
上述した本発明の掲示構造体の使用方法（作用）について説明する。
図３に示すように、掲示薄板５は、格子部材３の裏面側から窓部４に取付ける。この際
、人の指にて掲示薄板５の側端縁を掴んで、矢印Ｖのように上下動させ、やり送りによっ
て、横棧７の第１嵌込凹溝１１・第２嵌込凹溝１２に嵌め込んで、掲示薄板５を取付ける
。図４（Ａ）のように、窓部４の上辺を形成する横棧７の第１嵌込凹溝１１に、掲示薄板
５の上端縁を深く差し込み、次に、図４（Ｂ）のように、窓部４の下辺を形成する横棧７
の第２嵌込凹溝１２に、掲示薄板５の下端縁を落とし込み、掲示薄板５の上端縁・下端縁
を第１嵌込凹溝１１・第２嵌込凹溝１２に嵌込む。
【００１９】
掲示薄板５を離脱させる際には、人の指にて掲示薄板５を持ち上げて、図４（Ｂ）のよ
うに、掲示薄板５の下端縁を第２嵌込凹溝１２から離脱させ、２点鎖線にて示すように掲
示薄板５を傾けながら手前に引いて、取り外す。
従って、掲示薄板５の取付・取外しには、両面テープや接着剤等は不要であって、迅速
かつ容易に取付・取外しできる。
【００２０】
図６と図７では、固定枠１は、店舗の窓ガラスＷと柱Ｐの間の奥行きの小さな狭いスペ
ースに設置され、可動掲示本体２を矢印Ｎの方向（左右一側方）へ引き出して掲示薄板５
の入換え作業を行う。即ち、固定枠１の後方に柱Ｐがあって、作業者Ｍが入り込める隙間
が無いような場合でも、可動掲示本体２を左右一側方Ｎへスライドさせて掲示薄板５を交
換することができる。よって、奥行きの小さな狭いスペースを有効に活用できる利点があ
る。
固定枠１は、裏面側に照明器６が配設されているので、照明器６から光を照射すること
で、掲示薄板５の裏面側から表面側へ光が透過して、表示シート９に記載された掲示情報の視認性を高めることができる。図６と図７に示すように、固定枠１の後方に柱Ｐ等があって、室内の光が取り込めないような時でも、照明器６の光により掲示薄板５を裏面側から明るく照らして、夕方・夜間でも視認性を高く保つことができる。
【００２１】
なお、本発明は、設計変更可能であって、例えば、固定枠１の開口部１Ａの数を増減さ
せることや、大きさ（サイズ）を大小変化させることは自由である。また、格子部材３の
窓部４は、開口部１Ａに対応してサイズと数を設定するのが好ましい。
また、図示省略するが、本発明の掲示構造体は、店舗の店先に設置しても良い。例えば
、キャスター付きのベース板に固定枠１を載置して、スタンド型（自立式）の掲示構造体
としても良い。
【００２２】
以上のように、本発明に係る掲示構造体は、左右及び上下に並んだ複数個の開口部１Ａ
を有する正面視矩形状の固定枠１と、該固定枠１の左右一側方Ｎへスライド引出自在に保
持された可動掲示本体２と、を具備し、上記可動掲示本体２は、複数本の横棧７と複数本
の縦棧１６にて形成され複数個の上記開口部１Ａに対応して左右及び上下に並んだ複数個
の窓部４を有する格子部材３と、スライド引出状態下で、上記窓部４に裏面側から取付離
脱自在な掲示薄板５と、を有し、さらに、上記掲示薄板５の裏面側から表面側へ透過する光を照射する照明器６を、上記固定枠１の裏面側に配設したので、掲示薄板５を迅速かつ容易に取付・取外しでき、掲示薄板５の入換え作業の時間を短縮でき、かつ、コストを低減できる。掲示薄板５を裏面側から明るく照らして、夕方・夜間でも視認性を高く保つことができる。店舗の窓ガラスＷと柱Ｐの間に設置でき、奥行きの小さな狭いスペースを有効に活用できる。外観上の美観を向上でき、広告宣伝の効果を増大できる。しかも、強度が高く、堅牢であって、耐久性を高くできる。
【００２３】
また、上記掲示薄板５は、透明表て板８と半透明裏板１０によって表示シート９をサン
ドウィッチ状に重ね合わせて、該表示シート９が交換自在とされ、しかも、上記格子部材
３の上記横棧７には、上記掲示薄板５を上下方向のやり送りによって取付離脱自在とする
第１嵌込凹溝１１・第２嵌込凹溝１２が形成されているので、掲示薄板５を、（やり送り
によって、）迅速かつ容易に取付・取外しできる。第１嵌込凹溝１１・第２嵌込凹溝１２
により掲示薄板５を確実に保持できる。表示シート９を見易く掲示でき、広告宣伝の効果
を増大できる。
【００２４】
また、上記格子部材３は、上記窓部４の上辺を形成する上記横棧７には下方開口状に上
記第１嵌込凹溝１１を形成し、かつ、上記窓部４の下辺を形成する上記横棧７には上方開
口状に上記第２嵌込凹溝１２を形成し、上記第２嵌込凹溝１２の深さ寸法ｈ２よりも上記
第１嵌込凹溝１１の深さ寸法ｈ１を大きく設定して、上記やり送りを可能としたので、掲
示薄板５を、やり送りによって、迅速かつ容易に取付・取外しできる。
【００２５】
また、上記格子部材３の上記横棧７は、横断面矩形状の大角管１３と、該大角管１３の
裏面に固着された小角管１４と、該小角管１４の裏面側に固着された横板材１５と、から
構成されているので、掲示薄板５の上端縁・下端縁を第１嵌込凹溝１１・第２嵌込凹溝１
２に嵌込んで、確実に保持できる。
【００２６】
また、上記格子部材３の上記縦棧１６は、横断面矩形状の大角管１７と、該大角管１７
の裏面に固着された小角管１８と、から構成され、しかも、上記窓部４の左辺・右辺の各
上半部２０には上記小角管１８を省略して、上記掲示薄板５を上記やり送りによって取付
・離脱させる際に、人の指にて上記掲示薄板５を上下動させるように構成したので、掲示
薄板５を迅速かつ容易に取付・取外しできる。掲示薄板５の左右への位置ズレを防止でき
る。
【符号の説明】
【００２７】
１  固定枠
１Ａ  開口部
２  可動掲示本体
３  格子部材
４  窓部
５  掲示薄板
６  照明器
７  横棧
８  透明表て板
９  表示シート
１０  半透明裏板
１１  第１嵌込凹溝
１２  第２嵌込凹溝
１３  大角管
１４  小角管
１５  横板材
１６  縦棧
１７  大角管
１８  小角管
２０  各上半部
Ｎ  左右一側方
ｈ１  深さ寸法
ｈ２  深さ寸法
【図１】
0006700946.tif 000002
【図２】
0006700946.tif 000003
【図３】
0006700946.tif 000004
【図４】
0006700946.tif 000005
【図５】
0006700946.tif 000006
【図６】
0006700946.tif 000007
【図７】
0006700946.tif 000008